(57)【要約】【課題】  建物内部にコンパクトに設置する。【解決手段】  建物内部の空間を換気及び／又は空調するための換気空調ユニット１である。換気空調ユニット１は、チャンバーボックス１４と、チャンバーボックス１４内に配されたフィルター部材２４とを含んでいる。チャンバーボックス１４は、フィルター部材２４を介して、第１室２１と第２室２２とに区分される。フィルター部材２４は、第１室２１の空気を浄化して、第２室２２へと通過させるものである。第１室２１には、空間内の空気を第１室２１に導入するための内気取込口２６、外気Ａｏを、第１室２１に導入するための外気取込口２７、及び、第１室２１の空気を空調可能な空気調和機１３の室内機１３Ａが設けられる。第２室２２には、第２室２２の空気を、空間に供給するための空気供給口２９、及び、第２室の空気を、空気供給口２９に送る空気供給手段２３が設けられる。【選択図】図３
2017198395.tif 000002
【特許請求の範囲】
【請求項１】
建物内部の空間を換気及び／又は空調するための換気空調ユニットであって、
チャンバーボックスと、前記チャンバーボックス内に配されたフィルター部材とを含み、
前記チャンバーボックスは、前記フィルター部材を介して、第１室と第２室とに区分され、
前記フィルター部材は、前記第１室の空気を浄化して、前記第２室へと通過させるものであり、
前記第１室には、前記空間内の空気を前記第１室に導入するための内気取込口、
外気を、前記第１室に導入するための外気取込口、及び
前記第１室の空気を空調可能な空気調和機の室内機が設けられ、
前記第２室には、前記第２室の空気を、前記空間に供給するための空気供給口、及び
前記第２室の空気を、前記空気供給口に送る空気供給手段が設けられることを特徴とする換気空調ユニット。
【請求項２】
前記第２室が負圧に保たれている請求項１記載の換気空調ユニット。
【請求項３】
前記室内機は、吸込口と吹出口とを有し、
前記内気取込口及び前記外気取込口は、前記吸込口側に設けられる請求項１又は２に記載の換気空調ユニット。
【請求項４】
前記チャンバーボックスは、互いに向き合う一対の縦面材と、前記一対の縦面材間を区切る縦仕切り板とを有し、
前記フィルター部材は、前記一対の縦面材のうち一方の縦面材と、前記縦仕切り板との間に配置される請求項１乃至３のいずれかに記載の換気空調ユニット。
【請求項５】
前記室内機は、前記縦仕切り板の前記一方の縦面材側に固着される請求項４記載の換気空調ユニット。
【発明の詳細な説明】
【技術分野】
【０００１】
本発明は、建物内部の空間を換気及び／又は空調する換気空調ユニットに関する。
【背景技術】
【０００２】
一般に、住宅等の建物は、複数の空間に区画されており、各空間には、それぞれ空気調和機（エア・コンディショナー）が設けられている。しかしながら、このような建物、高気密化されているプレハブ住宅にあっては、空間内の空気の汚染を防ぐために、別途、換気設備が必要である。
【０００３】
下記特許文献１には、各空間を換気するための換気設備が提案されている。このような換気設備は、各空間に外気を導入し、各空間を強制的に換気することができる。
【先行技術文献】
【特許文献】
【０００４】
【特許文献１】特開２０１５−１２１３６６号公報
【発明の概要】
【発明が解決しようとする課題】
【０００５】
上記のような建物では、空気調和機と換気設備とがそれぞれ別個独立して設けられる。また、空気調和機は、空間毎に設ける必要がある。このため、建物に、空気調和機及び換気設備をコンパクトに設置することが難しいという問題があった。
【０００６】
本発明は、以上のような実状に鑑み案出されたもので、例えば、建物内部にコンパクトに設置することができる換気空調ユニットを提供することを主たる目的としている。
【課題を解決するための手段】
【０００７】
本発明は、建物内部の空間を換気及び／又は空調するための換気空調ユニットであって、チャンバーボックスと、前記チャンバーボックス内に配されたフィルター部材とを含み、前記チャンバーボックスは、前記フィルター部材を介して、第１室と第２室とに区分され、前記フィルター部材は、前記第１室の空気を浄化して、前記第２室へと通過させるものであり、前記第１室には、前記空間内の空気を前記第１室に導入するための内気取込口、外気を、前記第１室に導入するための外気取込口、及び前記第１室の空気を空調可能な空気調和機の室内機が設けられ、前記第２室には、前記第２室の空気を、前記空間に供給するための空気供給口、及び前記第２室の空気を、前記空気供給口に送る空気供給手段が設けられることを特徴とする。
【０００８】
本発明に係る前記換気空調ユニットにおいて、前記第２室が負圧に保たれているのが望ましい。
【０００９】
本発明に係る前記換気空調ユニットにおいて、前記室内機は、吸込口と吹出口とを有し、前記内気取込口及び前記外気取込口は、前記吸込口側に設けられるのが望ましい。
【００１０】
本発明に係る前記換気空調ユニットにおいて、前記チャンバーボックスは、互いに向き合う一対の縦面材と、前記一対の縦面材間を区切る縦仕切り板とを有し、前記フィルター部材は、前記一対の縦面材のうち一方の縦面材と、前記縦仕切り板との間に配置されるのが望ましい。
【００１１】
本発明に係る前記換気空調ユニットにおいて、前記室内機は、前記縦仕切り板の前記一方の縦面材側に固着されるのが望ましい。
【発明の効果】
【００１２】
本発明の換気空調ユニットは、チャンバーボックス内に、空気調和機の室内機、フィルター部材、第１室、第２室及び空気供給手段が設けられているので、建物内部又は外部にコンパクトに設置することが可能である。
【００１３】
また、本発明の換気空調ユニットは、外気又は外気を含む空調した空気を、フィルター部材で浄化して、建物内部の空間に供給できる。従って、本発明の換気空調ユニットは、外気を浄化しながら、前記空間を換気及び／又は空調することができる。さらに、本発明の換気空調ユニットは、前記空間の空気又は前記空間の空気を含む空調した空気を、フィルター部材で浄化して、前記空間に供給することができる。従って、本発明の換気空調ユニットは、前記空間の空気を循環させながら浄化して空調できるため、空気調和機の室内機の吸込口に配置されるフィルター部の目詰りを抑制しつつ、空気調和機の負荷を小さくすることができる。
【図面の簡単な説明】
【００１４】
【図１】換気空調ユニットが設置された建物の一例を示す断面図である。
【図２】換気空調ユニットの一例を示す斜視図である。
【図３】図２の換気空調ユニットを概念的に示した断面図である。
【図４】チャンバーボックスを示す斜視図である。
【図５】空気調和機の停止時の換気空調ユニットの作用を説明する断面図である。
【発明を実施するための形態】
【００１５】
以下、本発明の実施の一形態が図面に基づき説明される。
図１には、本実施形態の換気空調ユニット１が設置された建物２の断面図が概念的に示されている。本実施形態の換気空調ユニット１は、建物内部の空間３を、換気及び／又は空調するためのものである。換気空調ユニット１が設置される建物２は、例えば、住宅やビル等である場合が例示される。空調効果を高めるために、建物２には、優れた断熱性能、遮光（遮熱）性能及び気密性能を有しているのが望ましい。
【００１６】
本実施形態の空間３は、床下空間４と、床上空間５とを含んでいる。本実施形態では、床上空間５が、換気空調ユニット１によって換気及び／又は空調される。
【００１７】
床下空間４は、基礎６と地面７と床８とで囲まれた空間である。基礎６には、外気Ａｏを取り入れるための開口部９が設けられている。開口部９から取り入れられた外気Ａｏは、地面７を介して、１年を通じて温度変化の少ない地中の熱と熱交換される。これにより、床下空間４は、外気に比べて、夏期は比較的涼しく、冬期は比較的暖かい空気Ａｕを蓄えることができる。床下空間４の温度変化を効果的に小さくするために、基礎６には、断熱材１０が設けられるのが望ましい。また、本実施形態の地面７は、例えば、土間コンクリート等で仕上げられている。
【００１８】
床上空間５は、床下空間４の上方に設けられた空間であり、複数の居室１１と、洗面室やトイレ等の非居室１２とに区分されている。居室１１は、１階の居室１１Ａと、２階の居室１１Ｂとを含んでいる。非居室１２には、例えば、床上空間５の空気Ａｉの少なくとも一部を強制的に外部に排出する排気用ファン２５を設けることができる。
【００１９】
本実施形態の換気空調ユニット１は、チャンバーボックス１４と、チャンバーボックス１４内に配されたフィルター部材２４とを含んで構成されている。図２は、本実施形態の換気空調ユニット１の斜視図である。図３は、図２の換気空調ユニット１を概念的に示した断面図である。図４は、チャンバーボックス１４を示す斜視図である。図４は、後述する空気調和機１３の室内機１３Ａ、及び、外気供給手段１５等を省略して示されている。  
【００２０】
図１に示されるように、本実施形態のチャンバーボックス１４は、床上空間５に設置されている。図４に示されるように、チャンバーボックス１４は、内部空間１６を有する箱状体として形成されている。本実施形態のチャンバーボックス１４は、一対の縦面材１４ａ、１４ｂ、一対の側面材１４ｃ、１４ｄ、天井材１４ｅ及び床材１４ｆを含んで構成されている。
【００２１】
一対の縦面材１４ａ、１４ｂ、一対の側面材１４ｃ、１４ｄ、天井材１４ｅ及び床材１４ｆは、板状に形成されている。内部空間１６での結露を防ぐために、一対の縦面材１４ａ、１４ｂ、一対の側面材１４ｃ、１４ｄ、天井材１４ｅ及び床材１４ｆには、断熱材（図示省略）が配置されるのが望ましい。
【００２２】
一対の縦面材１４ａ、１４ｂは、互いに向き合って配置されている。一対の縦面材１４ａ、１４ｂは、チャンバーボックス１４の前後方向において、一方側（正面側）に配置される一方の縦面材１４ａと、他方側（背面側）に配置される他方の縦面材１４ｂとに区分される。本実施形態の一方の縦面材１４ａは、第１正面部３８と、第１正面部３８の下方に配置される第２正面部３９とを含んで構成されている。
【００２３】
第１正面部３８は、一対の側面材１４ｃ、１４ｄ、及び、天井材１４ｅに固定されている。他方、第２正面部３９は、開閉自在な扉３１として形成されている。このような扉３１は、換気空調ユニット１内をメンテナンスするのに役立つ。
【００２４】
一対の側面材１４ｃ、１４ｄは、互いに向き合って配置されている。一対の側面材１４ｃ、１４ｄは、チャンバーボックス１４の幅方向において、一方側（正面からみて、右側）に配置される側面材１４ｃと、他方側（正面からみて、左側）に配置される側面材１４ｄとを含んで構成されている。床材１４ｆには、上下方向に貫通する孔部１７が設けられている。
【００２５】
チャンバーボックス１４は、一対の縦面材１４ａ、１４ｂ間を区切る縦仕切り板１８ａを有している。さらに、チャンバーボックス１４は、第１側部仕切り板１８ｂと、第２側部仕切り板１８ｃとを含んでいる。これらの縦仕切り板１８ａ、第１側部仕切り板１８ｂ及び第２側部仕切り板１８ｃにより、チャンバーボックス１４の強度が高められる。さらに、内部空間１６は、縦仕切り板１８ａ、第１側部仕切り板１８ｂ及び第２側部仕切り板１８ｃによって、第１内部空間１６Ａ及び第２内部空間１６Ｂに区分される。
【００２６】
本実施形態の縦仕切り板１８ａは、一方の縦面材１４ａと他方の縦面材１４ｂとの間を垂直にのびている。縦仕切り板１８ａは、天井材１４ｅから下方にのび、かつ、床材１４ｆに至ることなく終端している。本実施形態の縦仕切り板１８ａは、天井材１４ｅ、及び、一対の側面材１４ｃ、１４ｄに隙間なく固定されている。
【００２７】
本実施形態の第１側部仕切り板１８ｂは、一対の側面材１４ｃ、１４ｄの間において、縦仕切り板１８ａと交わる向きに配置されており、垂直にのびている。本実施形態の第１側部仕切り板１８ｂは、第１部分１９と、第２部分２０とを含み、側面視略Ｌ字状に形成されている。
【００２８】
本実施形態の第１部分１９は、床材１４ｆ、縦仕切り板１８ａ及び他方の縦面材１４ｂに隙間なく固定され、かつ、一方の縦面材１４ａと隙間なく接している。第１部分１９は、縦仕切り板１８ａの下端に固定されているため、縦仕切り板１８ａを支持することができる。
【００２９】
本実施形態の第２部分２０は、天井材１４ｅ、縦仕切り板１８ａ、及び、他方の縦面材１４ｂに隙間なく固定されている。第２部分２０は、縦仕切り板１８ａの背面に沿って配置されているため、縦仕切り板１８ａを背面側で支持することができる。
【００３０】
第２側部仕切り板１８ｃは、縦仕切り板１８ａの一方の縦面材１４ａ側（即ち、正面側）において、第１側部仕切り板１８ｂの第１部分１９の上端と、一方の側面材１４ｃとの間を水平にのびている。本実施形態の第２側部仕切り板１８ｃは、縦仕切り板１８ａ、第１部分１９及び一方の側面材１４ｃに隙間なく固定され、かつ、一方の縦面材１４ａと隙間なく接している。
【００３１】
第１内部空間１６Ａは、縦仕切り板１８ａ、第１側部仕切り板１８ｂ及び第２側部仕切り板１８ｃにより、第２内部空間１６Ｂに対して他方の側面材１４ｄ側（正面からみて、左側）に区分されている。また、第１内部空間１６Ａの一部は、縦仕切り板１８ａに対して一方の縦面材１４ａ側（前側）の前空間１６Ａａと、縦仕切り板１８ａに対して他方の縦面材１４ｂ側（後側）の後空間１６Ａｂとに区分される。前空間１６Ａａ及び後空間１６Ａｂは、縦仕切り板１８ａの下方側で、前後に連通している。これにより、第１内部空間１６Ａは、側面視Ｕ字状に形成される。
【００３２】
第２内部空間１６Ｂは、縦仕切り板１８ａ、第１側部仕切り板１８ｂ及び第２側部仕切り板１８ｃにより、第１内部空間１６Ａに対して一方の側面材１４ｃ側（正面からみて、右側）に区分されている。本実施形態の第２内部空間１６Ｂは、側面視略Ｌ字状に形成されている。
【００３３】
図３に示されるように、本実施形態のチャンバーボックス１４は、フィルター部材２４を介して、第１室２１と第２室２２とに区分される。本実施形態のフィルター部材２４は、第１内部空間１６Ａにおいて、一対の縦面材１４ａ、１４ｂのうち一方の縦面材１４ａと、縦仕切り板１８ａとの間に配置されている。このフィルター部材２４により、前空間１６Ａａが上下に区分される。
【００３４】
本実施形態の第１室２１は、前空間１６Ａａにおいて、フィルター部材２４の上側の空間に形成されている。本実施形態の第２室２２は、前空間１６Ａａにおいてフィルター部材２４の下側の空間と、後空間１６Ａｂとによって形成されている。これにより、第２室２２は、側面視において、略Ｌ字状に形成されている。
【００３５】
本実施形態のフィルター部材２４は、第１室２１の空気を浄化して、第２室２２へと通過させるものである。本実施形態のフィルター部材２４は、フィルター２４ａと、フィルター２４ａを保持する一対の保持材２４ｂ、２４ｃとを含んで構成されている。一対の保持材２４ｂ、２４ｃは、第１側部仕切り板１８ｂの第１部分１９と、他方の側面材１４ｄとの間に隙間なく固定されている。また、一方側（正面側）に配置される一方の保持材２４ｂは、一方の縦面材１４ａに隙間なく接している。さらに、他方側（背面側）に配置される他方の保持材２４ｃは、縦仕切り板１８ａに隙間なく接している。図２に示されるように、フィルター２４ａは、板状に形成されており、上下方向でジグザグ状に折り曲げられている。このようなフィルター２４ａは、上下方向に通過する空気に対して、濾過面積を効果的に増やすことができる。
【００３６】
フィルター２４ａとしては、適宜選択されうる。フィルター２４ａの一例としては、ＨＥＰＡ（Ｈｉｇｈ  Ｅｆｆｉｃｉｅｎｃｙ  Ｐａｒｔｉｃｕｌａｔｅ  Ａｉｒ）フィルター、光触媒フィルター、活性炭脱臭フィルター、又は、電気集塵フィルター等が単独、又は、組み合わせて配置されるのが望ましい。
【００３７】
本実施形態のフィルター部材２４は、一方の縦面材１４ａの第２正面部３９と、縦仕切り板１８ａとの間に配置されているため、第２正面部３９が開かれることにより、フィルター部材２４を容易にメンテナンスすることができる。
【００３８】
図３に示されるように、第１室２１には、内気取込口２６、外気取込口２７、及び、空気調和機１３の室内機１３Ａが設けられている。また、第２室２２には、空気供給口２９及び空気供給手段２３が設けられている。
【００３９】
内気取込口２６は、空間３（本実施形態では、床上空間５）内の空気Ａｉを、第１室２１に導入するためのものである。本実施形態の内気取込口２６は、床上空間５と第１室２１との間で、縦面材１４ａ（本実施形態では、第１正面部３８）を貫通する孔部として構成されている。
【００４０】
外気取込口２７は、外気Ａｏを、第１室２１に導入するためのものである。外気取込口２７は、縦仕切り板１８ａを貫通する孔部として構成されている。図４に示されるように、本実施形態の外気取込口２７は、第１側部仕切り板１８ｂの第２部分２０に対して一方の側面材１４ｃ側（即ち、正面から見て、右側）に設けられている。本実施形態の外気取込口２７は、外気供給手段１５を介して、外気Ａｏを第１室２１に導入している。
【００４１】
図３に示されるように、これらの内気取込口２６及び外気取込口２７により、第１室２１は、空間（本実施形態では、床上空間５）の空気Ａｉと、外気Ａｏとの混合気が供給可能に構成される。
【００４２】
外気供給手段１５は、図２及び図３に示されるように、第１室２１と床下空間４とを継ぐダクトとして構成されている。本実施形態の外気供給手段１５は、チャンバーボックス１４内において、第２内部空間１６Ｂに配置される。外気供給手段１５の一端は、外気取込口２７に接続されている。図１に示されるように、外気供給手段１５の他端は、床材１４ｆの孔部１７（図３に示す）を通過して、床下空間４に配置されている。さらに、外気供給手段１５の他端には、床下空間４の空気Ａｕを、外気取込口２７（図３に示す）側に送る外気供給ファン３６が接続されている。この外気供給ファン３６の風量については、チャンバーボックス１４の大きさ、及び、建物内部の空間３の大きさに応じて、適宜設定することができる。本実施形態の外気供給ファン３６の風量は、１２５〜２５０ｍ3／ｈに適宜調整される。
【００４３】
図２及び図３に示されるように、空気調和機１３は、第１室２１の空気を空調可能に設置されている。空気調和機１３は、例えば、一般的な家庭用のセパレート型エアコンであり、チャンバーボックス１４内に配置される室内機１３Ａと、建物２の外部に設置された室外機（図示省略）とをセットとして含んでいる。
【００４４】
図３に示されるように、室内機１３Ａは、縦仕切り板１８ａの一方の縦面材１４ａ側（即ち、前空間１６Ａａ）に固着されている。これにより、縦仕切り板１８ａの他方の縦面材１４ｂ側の空間（即ち、後空間１６Ａｂ）を有効活用することができるため、例えば、後述する空気供給手段２３のスペースを確保しうる。
【００４５】
第１室２１において、室内機１３Ａと一方の縦面材１４ａとの間、及び、室内機１３Ａと一対の側面材１４ｃ、１４ｄ（図４に示す）との間には、隙間が形成されている。これにより、第１室２１において、内気取込口２６及び外気取込口２７と、フィルター部材２４との間を連通させることができる。従って、空気調和機１３の停止時において、内気取込口２６から導入された床上空間５の空気Ａｉ、及び、外気取込口２７から導入された外気Ａｏを、フィルター部材２４を介して、第２室２２に通過させることができる。
【００４６】
室内機１３Ａは、吸込口１３Ａｉと吹出口１３Ａｏとを有している。吸込口１３Ａｉは、内部の熱交換器（図示省略）に空気を取り込むためのものである。吹出口１３Ａｏは、熱交換器で空調された空気（以下、単に「空調空気」ということがある。）Ａｃを吐出するためのものである。内気取込口２６及び外気取込口２７は、吸込口１３Ａｉ側（本実施形態では、吸込口１３Ａｉよりも上方）に設けられている。
【００４７】
本実施形態の空気調和機１３は、制御手段Ｃｍ（図１に示す）によって制御されている。なお、空気調和機１３は、建物２の居住者等の操作によって運転されてもよい。
【００４８】
空気供給口２９は、第２室２２の空気を、図１に示した空間３（本実施形態では、床上空間５）に供給するためのものである。図３及び図４に示されるように、本実施形態の空気供給口２９は、第２室２２において、天井材１４ｅを貫通する孔部として構成されている。本実施形態の空気供給口２９は、図２及び図３に示されるように、供給ダクト３０を介して、図１に示した空間３（本実施形態では、床上空間５）と連通している。
【００４９】
図１、図２及び図３に示されるように、本実施形態の供給ダクト３０は、第２室２２の空気を１階の居室１１Ａに供給する第１供給ダクト３０Ａと、第２室２２の空気を２階の居室１１Ｂに供給する第２供給ダクト３０Ｂとを含んでいる。第１供給ダクト３０Ａの一端、及び、第２供給ダクト３０Ｂの一端は、第２室２２内に配置されている。図１に示されるように、第１供給ダクト３０Ａの他端は、１階の居室１１Ａ又は非居室１２に接続されている。第２供給ダクト３０Ｂの他端は、２階の居室１１Ｂに接続されている。
【００５０】
空気供給手段２３は、第２室２２の空気を、空気供給口２９に送るためのものである。本実施形態の空気供給手段２３は、第２室２２側から空気供給口２９に向かって送風するファンとして構成されている。このような空気供給手段２３により、第２室２２が負圧に保たれる。これにより、第１室２１の空気を、フィルター部材２４を介して、第２室２２へと通過させることができる。本実施形態の空気供給手段２３は、供給ダクト３０の一端に接続されている。また、空気供給手段２３は、床材１４ｆの上方に離間して設けられている。
【００５１】
本実施形態の空気供給手段２３は、第１供給ダクト３０Ａの一端に接続される第１ファン２３ａと、第２供給ダクト３０Ｂの一端に接続される第２ファン２３ｂとを含んでいる。これにより、第１ファン２３ａ及び第２ファン２３ｂは、第２室２２の空気を、１階の居室１１Ａ及び２階の居室１１Ｂに独立して供給することができる。
【００５２】
本実施形態の第１ファン２３ａ及び第２ファン２３ｂは、制御手段Ｃｍ（図１に示す）によって制御されている。なお、第１ファン２３ａ及び第２ファン２３ｂは、建物２の居住者等の操作によって運転されてもよい。また、第１ファン２３ａ及び第２ファン２３ｂの各風量については、例えば、チャンバーボックス１４の大きさ、及び、建物内部の空間３の大きさに応じて、適宜設定することができる。本実施形態の第１ファン２３ａ及び第２ファン２３ｂの各風量は、２００〜７００ｍ3／ｈ（即ち、第１ファン２３ａ及び第２ファン２３ｂの合計風量が４００〜１４００ｍ3／ｈ）に適宜調整される。
【００５３】
このように、本実施形態の換気空調ユニット１は、チャンバーボックス１４内に、空気調和機１３の室内機１３Ａ、フィルター部材２４、第１室２１、第２室２２及び空気供給手段２３が設けられている。さらに、本実施形態の換気空調ユニット１は、チャンバーボックス１４内に、外気供給手段１５が設けられている。このため、換気空調ユニット１を、建物内部又は外部にコンパクトに設置することが可能である。
【００５４】
次に、本実施形態の換気空調ユニット１について、空気調和機１３の運転時の作用について説明する。
【００５５】
図３に示されるように、本実施形態の換気空調ユニット１では、チャンバーボックス１４の第１室２１に外気Ａｏが供給される。外気Ａｏの供給は、外気供給ファン３６（図１に示す）が運転されることにより、外気供給手段１５を介して、外気取込口２７から行われる。さらに、第１室２１には、内気取込口２６を介して、床上空間５の空気Ａｉが導入される。これにより、第１室２１において、外気Ａｏ及び床上空間５の空気Ａｉの混合気が、室内機１３Ａの吸込口１３Ａｉに速やかに供給され、かつ、空調される。空気調和機１３によって空調された空気Ａｃは、室内機１３Ａの吹出口１３Ａｏから吐出される。
【００５６】
第２室２２は、空気供給手段２３の運転によって負圧に保たれる。これにより、第１室２１の空調空気Ａｃを、フィルター部材２４を介して、第１室２１から第２室２２に通過させることができる。そして、第２室２２に案内された空調空気Ａｃは、空気供給手段２３、第１供給ダクト３０Ａ及び第２供給ダクト３０Ｂを介して、図１に示した床上空間５（１階の居室１１Ａ及び２階の居室１１Ｂ）に供給される。
【００５７】
本実施形態の換気空調ユニット１によれば、第１室２１に供給された外気Ａｏを含む空調した空気Ａｃを、フィルター部材２４で浄化して、床上空間５に供給することができる。このため、本実施形態の換気空調ユニット１は、外気Ａｏを浄化しながら、床上空間５を換気及び空調することができる。また、本実施形態の換気空調ユニット１によれば、床上空間５の空気Ａｉを含む空調した空気Ａｃを、フィルター部材２４で浄化して、床上空間５に供給することができる。このため、本実施形態の換気空調ユニット１は、床上空間５の空気Ａｉを循環させながら浄化して空調できるため、空気調和機１３の室内機１３Ａの吸込口１３Ａｉに配置されるフィルター部（図示省略）の目詰りを抑制しつつ、空気調和機１３の負荷を小さくすることができる。
【００５８】
空気調和機１３が冷房運転される夏期においては、外気Ａｏに含まれる水蒸気の一部が、室内機１３Ａの熱交換器との熱交換で冷却されて結露し、水となって建物２の外部に排出される。従って、本実施形態の換気空調ユニット１は、夏の冷房時、床上空間５に外気Ａｏが直接供給される場合に比べて、床上空間５内の水蒸気量を減らすことができ、ひいては、快適な換気空調を行うことができる。
【００５９】
本実施形態において、第１室２１に供給される外気Ａｏは、床下空間４で地中の熱と熱交換された空気Ａｕである。従って、本実施形態では、外気Ａｏが第１室２１に直接供給される場合に比べて、空気調和機１３の負荷を小さくすることができる。
【００６０】
次に、本実施形態の換気空調ユニット１について、空気調和機１３の停止時の作用について説明する。図５は、空気調和機の停止時の換気空調ユニット１の作用を説明する断面図である。
【００６１】
図５に示されるように、本実施形態の換気空調ユニット１では、チャンバーボックス１４の第１室２１に、外気Ａｏが供給される。外気Ａｏの供給は、外気供給ファン３６（図１に示す）が運転されることにより、外気供給手段１５を介して、外気取込口２７から行われる。さらに、第１室２１には、内気取込口２６を介して、床上空間５の空気Ａｉが導入される。これにより、第１室２１には、外気Ａｏと床上空間５の空気Ａｉとの混合気Ａｍが蓄えられる。
【００６２】
第２室２２は、空気供給手段２３の運転によって負圧に保たれる。これにより、第１室２１の混合気Ａｍを、フィルター部材２４を介して、第２室２２に案内することができる。そして、第２室２２に案内された混合気Ａｍは、空気供給手段２３、第１供給ダクト３０Ａ及び第２供給ダクト３０Ｂを介して、図１に示した床上空間５（１階の居室１１Ａ及び２階の居室１１Ｂ）に供給される。
【００６３】
本実施形態の換気空調ユニット１によれば、例えば、空気調和機１３の運転を必要としない季節において、床上空間５を空調することなく、外気Ａｏを浄化しながら換気することができる。さらに、床上空間５の空気Ａｉを浄化して循環させることができるため、床上空間５の温度変化を最小限に抑えることができる。また、本実施形態において、第１室２１に供給される外気Ａｏは、床下空間４で地中の熱と熱交換された空気Ａｕを含んでいる。従って、本実施形態では、外気Ａｏが第１室２１に直接供給される場合に比べて、床上空間５を快適に換気することができる。
【００６４】
第１室２１は、内気取込口２６及び外気取込口２７によって、床上空間５の空気Ａｉ及び外気Ａｏを取り込み可能に形成されている。このため、第２室２２が負圧に保たれていても、第１室２１に大きな負圧が生じるのを防ぐことができる。これにより、空気調和機１３の停止時又は待機時において、空気調和機１３の室内機１３Ａの空回りを防ぐことができる。室内機１３Ａの空回りは、制御手段Ｃｍ（図１に示す）によってエラーとして検出され、換気及び／又は空調を強制終了させる場合がある。従って、床上空間５を安定して換気及び又は空調することができる。
【００６５】
空気調和機１３、第１ファン２３ａ、第２ファン２３ｂ及び外気供給ファン３６の運転は、床上空間５の温度や湿度、又は、床下空間４の温度や湿度に基づいて制御されるのが望ましい。これにより、換気空調ユニット１は、建物２の居住者等が直接操作しなくても、床上空間５を、快適に換気空調を行うことができる。このような制御を行うために、床上空間５及び床下空間４には、温度センサー等（図示省略）が接続されるのが望ましい。
【００６６】
図３に示されるように、本実施形態の第１室２１には、内気取込口２６及び外気取込口２７が設けられているため、外気取込口２７から導入された外気Ａｏに含まれる粉塵等が、内気取込口２６を介して床上空間５に排出される場合がある。このような粉塵等の排出を防ぐために、外気供給手段１５には、第２フィルター部材（図示省略）が設けられてもよい。このような第２フィルター部材により、第１室２１には、粉塵等が除去された外気Ａｏが供給されるため、内気取込口２６を介して、粉塵等が床上空間５に排出されるのを防ぐことができる。
【００６７】
図１に示されるように、本実施形態の換気空調ユニット１は、１階居室１１Ａにチャンバーボックス１４が設置され、かつ、１階居室１１Ａ及び２階居室１１Ｂの双方が換気及び／又は空調される態様が例示されたが、このような態様に限定されるわけではない。例えば、２階居室１１Ｂにチャンバーボックス１４が設置され、かつ、１階居室１１Ａ及び２階居室１１Ｂの双方が換気及び／又は空調されてもよい。また、１階居室１１Ａ及び２階居室１１Ｂにチャンバーボックス１４がそれぞれ設置され、かつ、１階居室１１Ａ及び２階居室１１Ｂがそれぞれ独立して換気及び／又は空調されるものでもよい。このように、１階居室１１Ａ及び２階居室１１Ｂの双方にチャンバーボックス１４が設置されても、換気空調ユニット１が建物内部にコンパクトに設置されるため、床上空間５での換気空調ユニット１の占有率を最小限に抑えることができる。
【００６８】
さらに、換気空調ユニット１のチャンバーボックス１４は、建物内部の空間３の中央部に配置されてもよい。これにより、各居室１１とチャンバーボックス１４との間に配置される供給ダクト３０の長さを小さくできるため、空調空気Ａｃの熱損失や圧力損失を抑制し、かつ、供給ダクト３０のコストを最小限に抑えることができる。
【００６９】
以上、本発明の特に好ましい実施形態について詳述したが、本発明は図示の実施形態に限定されることなく、種々の態様に変形して実施しうる。
【実施例】
【００７０】
図１及び図２に示した基本構造を有する換気空調ユニットが、建物内部に設置された（実施例）。実施例の換気空調ユニットには、チャンバーボックスと、フィルター部材とを含んでいる。チャンバーボックスは、フィルター部材を介して、第１室と第２室とに区分されている。第１室には、内気取込口、外気取込口及び空気調和機の室内機が設けられている。第２室には、空気供給口及び空気供給手段が設けられている。実施例の換気空調ユニットは、第１室に導入された空間内の空気及び外気を、建物内部の空間に供給して、換気及び／又は空調された。
【００７１】
また、比較のために、建物内部に、空気調和機と換気設備とがそれぞれ独立して設けられた（比較例）。また、比較例の換気設備は、屋外の外気が、居室内に直接導入された。
【００７２】
そして、実施例の換気空調ユニット、並びに、比較例の空気調和機及び換気設備は、下記期間中に運転され、居室の平均相対湿度が測定された。共通仕様は、次のとおりである。
住宅：滋賀県東近江市
測定期間：２０１５年８月５日〜８月１８日
測定時間：午後１１時から午前７時
空気調和機に設定温度：２７℃
第１ファン、第２ファンの各風量：２００〜７００ｍ3／ｈ
実施例の外気：床下空間の空気
フィルター部材：ＨＥＰＡフィルター
【００７３】
テストの結果、実施例は、第１室に導入された空間内の空気及び外気を、建物内部の空間に供給して、換気及び／又は空調することができた。しかも、実施例の換気空調ユニットは、チャンバーボックス内に、空気調和機の室内機、フィルター部材、第１室、第２室及び空気供給手段が設けられているので、比較例に比べて、建物内部にコンパクトに設置できた。さらに、第１室は、内気取込口及び外気取込口によって負圧になるのを防ぐことができるため、空気調和機の停止時において、室内機が空回りするのを防ぐことができた。
【００７４】
また、実施例の平均相対湿度は、比較例の平均相対湿度よりも約１５%RHの低下が見られた。これは、実施例の換気空調ユニットが、第１室に供給された外気を空調して、床上空間に供給されたためである。従って、実施例の換気空調ユニットは、比較例に比べて、居室内の湿度を効果的に低下させながら、換気と空調とを行うことが確認できた。
【符号の説明】
【００７５】
１      換気空調ユニット
１３      空気調和機
１４      チャンバーボックス
２１      第１室
２２      第２室
２３      空気供給手段
２６      内気取込口
２７      外気取込口
２９      空気供給口
【図１】
2017198395.tif 000003
【図２】
2017198395.tif 000004
【図３】
2017198395.tif 000005
【図４】
2017198395.tif 000006
【図５】
2017198395.tif 000007
【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
建物内部の空間を換気及び／又は空調するための換気空調ユニットであって、
チャンバーボックスと、前記チャンバーボックス内に配されたフィルター部材とを含み、
前記チャンバーボックスは、前記フィルター部材を介して、第１室と第２室とに区分され、
前記フィルター部材は、前記第１室の空気を浄化して、前記第２室へと通過させるものであり、
前記第１室には、前記空間内の空気を前記第１室に導入するための内気取込口、
外気を、前記第１室に導入するための外気取込口、及び
前記第１室の空気を空調可能な空気調和機の室内機が設けられ、
前記第２室には、前記第２室の空気を、前記空間に供給するための空気供給口、及び
前記第２室の空気を、前記空気供給口に送る空気供給手段が設けられることを特徴とする換気空調ユニット。
【請求項２】
前記第２室が負圧に保たれている請求項１記載の換気空調ユニット。
【請求項３】
前記室内機は、吸込口と吹出口とを有し、
前記内気取込口及び前記外気取込口は、前記吸込口側に設けられる請求項１又は２に記載の換気空調ユニット。
【請求項４】
前記チャンバーボックスは、互いに向き合う一対の縦面材と、前記一対の縦面材間を区切る縦仕切り板とを有し、
前記フィルター部材は、前記一対の縦面材のうち一方の縦面材と、前記縦仕切り板との間に配置される請求項１乃至３のいずれかに記載の換気空調ユニット。
【請求項５】
前記室内機は、前記縦仕切り板の前記一方の縦面材側に固着される請求項４記載の換気空調ユニット。
【請求項６】
建物の内部の空間を空調するための空調ユニットであって、
チャンバーボックスと、前記チャンバーボックス内に配されたフィルター部材とを含み、
前記チャンバーボックスは、前記フィルター部材を介して、第１室と第２室とに区分され、
前記フィルター部材は、前記第１室の空気を浄化して、前記第２室へと通過させるものであり、
前記第１室には、前記空間内の空気を前記第１室に導入するための内気取込口、及び、前記第１室の空気を空調可能な空気調和機の室内機が設けられ、
前記第２室には、ファン（２３ａ）が設けられ、
前記ファン（２３ａ）には、前記第２室の空気を前記建物の２階の居室に供給するためのダクト（３０Ｂ）の一端が接続されており、
前記チャンバーボックス（１４）の天井材には、前記天井材を貫通する孔部（２９）が形成されており、
前記ダクトは、前記孔部（２９）を通って延びている、
空調ユニット。
【請求項７】
前記チャンバーボックスは、互いに向き合う一対の縦面材と、前記一対の縦面材間を区切る縦仕切り板とを有し、
前記室内機は、前記縦仕切り板の前記一方の縦面材側に固着され、前記ダクトは、前記縦仕切り板の前記一方の縦面材側に配されている請求項６記載の空調ユニット。
【請求項８】
前記チャンバーボックスは、前記一対の縦面材のうち前記一方の縦面材側に、前記フィルター部材をメンテナンスするための開閉自在な扉を有する請求項７記載の空調ユニット。
【請求項９】
請求項６ないし８のいずれかに記載の空調ユニットが、１階に設置され、１階の居室及び２階の居室の双方が前記空調ユニットを用いて空調される建物。
【請求項１０】
請求項６ないし８のいずれかに記載の空調ユニットが、２階に設置され、１階の居室及び２階の居室の双方が前記空調ユニットを用いて空調される建物。